(57)【要約】  本装置は、２個のダイオードレーザー源を使用して作成され、通常の或いは不純物を添加したファイバ源を備え、装置が固定式の場合は電気系統から電力が供給され、携帯型のポケット大の装置の場合は（再充電可能な）電池から電力が供給される。使用される２個のレーザー源は、５００ｎｍ〜１０００ｎｍの範囲で、パワーは０．０１ｍＷ〜１００ｍＷの範囲である。光束は光学的集光器を通して運ばれ、キーを押すと、爪又は皮膚、或いは血液サンプルに照射される。光ダイオード式センサ又はＣＰＵは、グリコヘモグロビン及び遊離血漿グルコースによって減衰されたエネルギーを読み取る。この値は、瞬時の血糖症の値に変換され、装置のディスプレー上に現われる。【選択図】図１
2011529370.tif 000002
【特許請求の範囲】
【請求項１】
本装置は、皮膚を刺したり血液サンプルを採取することなく血糖症の値を測定できる。
患者は、指を装置内に入れ、４分割ダイアフラムを開けるレバーを操作するだけでよい。
レバーを解放すると、スプリングによってダイアフラムが閉じ、光ダイオードに向けられた２本のレーザー光線の焦点上に指の中心を、指の太さに影響されることなく位置決めする（レーザー装置はクラス１の安全基準を満たしている）。
本装置は、５００ｎｍ〜１０００ｎｍの範囲の２個のダイオードレーザー源を使用する。
患者は、装置の電源を入れ、レーザーの開始を制御する光学バリアを、指を通すことにより作動させる。
光ダイオードは、グリコヘモグロビン及び遊離血漿グルコースによって選択的に吸収されたことによって生じるレーザー放射を読み取る。
アナログステージは、その値をプロセッサに送り、プロセッサは、系が安定した後で、それらをデジタル化すると共に正規化し、それらの内に高い値を抽出し、平均を求め、それらの間の関係を決定し、特定のアルゴリズムにより、瞬時の血糖症の値を得る。
【請求項２】
本装置は、瞬時的な血糖症を決定するのに数秒しか必要としない。
痛みが全くない非侵襲的な方法であるため、経時的傾向を監視し、治療の有効性を確認し、新生児、子供、大人及び老人の血糖症曲線を作るために、極めて短い時間の間に幾つかの血糖測定値を得るのに使用できる。
値は順次記憶され（最大で５０００個）、その記憶は２個のスライドキーによって表示できる。本装置は、ＵＳＢゲートとＰＣ接続ケーブルを有し、データを可視化すると共に処理するためのソフトウエアが備えられている。
【請求項３】
本装置は、電源オンのボタンを押すことによって容易に起動できる。
装置の開口部に指を入れて、センタリングシステムを起動するだけよく、数秒後には、血糖症の値が自動的に得られ、装置の画面上に、各測定の日時及び累進的な登録番号と共に表示される。
【請求項４】
制御バラメータとして働く、血漿グルコース及びグリコヘモグロビンによる２本のダイオードレーザー光線の選択的吸収により、絶対的に正確な血糖症の値を得ることができる。
２個の値が相互に関連付けて計算され、皮膚の厚さや色及び指自体の厚さに影響されることなしに絶対的に正確な測定値が得られる。
【発明の詳細な説明】
【発明の概要】
【０００１】
本装置は、２個のダイオードレーザー源を使用して作成され、通常の或いは不純物を添加したファイバ源を備え、装置が固定式の場合は電気系統から電力が供給され、携帯型のポケット大の装置の場合は（再充電可能な）電池から電力が供給される。
【０００２】
使用される２個のレーザー源は、５００ｎｍ〜１０００ｎｍの範囲で、パワーは０．０１ｍＷ〜１００ｍＷの範囲である。
【０００３】
光束は光学的集光器を通して運ばれ、キーを押すと、爪又は皮膚、或いは血液サンプルに照射される。
【０００４】
光ダイオード式センサ又はＣＰＵは、グリコヘモグロビン及び遊離血漿グルコースによって減衰されたエネルギーを読み取る。この値は、瞬時の血糖症の値に変換され、装置のディスプレー上に現われる。
【０００５】
本装置は、メモリーにこれらの値を最大で５０００個記憶できる。
【０００６】
本装置は、ＰＣに接続してデータを転送するためにケーブルインターフェイス、赤外線及びブルートゥースを備えている。
【図面の簡単な説明】
【０００７】
【図１】図面である。
【図１】
2011529370.tif 000003
【手続補正書】
【提出日】平成23年6月10日(2011.6.10)
【手続補正１】
【補正対象書類名】明細書
【補正対象項目名】全文
【補正方法】変更
【補正の内容】
【書類名】明細書
【発明の名称】血糖症の非侵襲的測定のためのダイオードレーザー装置
【０００１】
本装置は、２個のレーザーダイオード源を使用して作成され、通常の或いは不純物を添加したファイバ源を備え、装置が固定式の場合は電気系統から電力が供給され、携帯型のポケット大の装置の場合は（再充電可能な）電池から電力が供給される。
【０００２】
使用される２個のレーザーダイオード源は、５００ｎｍ〜１０００ｎｍの範囲で、パワーは０．０１ｍＷ〜１００ｍＷの範囲である。
【０００３】
２個のレーザーダイオードからの光束は光学的集光器を通して運ばれ、キーを押すと、爪又は皮膚、或いは血液サンプルに照射される。
【０００４】
光ダイオードセンサ又はＣＰＵは、血液中に存在するグリコヘモグロビン及び遊離血漿グルコースによって減衰された放射エネルギーの値を読み取る。この値は、瞬時の血糖症の値に変換され、装置のディスプレー上に現われる。
【０００５】
本装置は、メモリーにこれらの値を最大で５０００個記憶できる。
【０００６】
本装置は、ＰＣに接続してデータを転送するためにケーブルインターフェイス、赤外線及びブルートゥースを備えている。
【０００７】
本装置は、皮膚を刺したり血液サンプルを採取することなく血糖症の値を測定できる。
【０００８】
より詳細には、本装置の使用及び動作時には、患者は、指を装置内に入れ、４分割ダイアフラムを開けるレバーを操作するだけでよい。
【０００９】
その後、レバーを解放すると、スプリングによってダイアフラムが閉じ、光ダイオードに向けられた２本のレーザー光線の焦点上において、指の太さに影響されることなく、指を中心に位置決めする（レーザー装置はクラス１の安全基準を満たしている）。
【００１０】
本装置は、５００ｎｍ〜１０００ｎｍの範囲の２個のレーザーダイオード源を使用する。
【００１１】
患者は、装置の電源を入れ、レーザーの開始を制御する光学バリアを、指を通すことにより作動させる。
【００１２】
そして、光ダイオードは、指の血液中に存在するグリコヘモグロビン及び遊離血漿グルコースによる、２本のレーザー光線の放射エネルギーの選択的吸収によって生じるレーザー放射の値を読み取る。
【００１３】
更に、アナログステージは、その値をプロセッサに送り、プロセッサは、系が安定した後で、それらをデジタル化すると共に正規化し、それらの内に高い値を抽出し、平均を求め、それらの間の関係を決定し、特定のアルゴリズムにより、瞬時の血糖症の値を得る。
【００１４】
本装置は、瞬時的な血糖症の値を決定するのに数秒しか必要としない。
【００１５】
痛みが全くない非侵襲的な方法であるため、経時的傾向を監視し、治療の有効性を確認し、新生児、子供、大人及び老人の血糖症曲線を作るために、極めて短い時間の間に幾つかの血糖測定値を得るのに使用できる。
【００１６】
値は順次記憶され（最大で５０００個）、その記憶は２個のスライドキーによって表示できる。
【００１７】
本装置は、ＵＳＢゲートとＰＣ接続ケーブルを有し、データを可視化すると共に処理するためのソフトウエアが備えられている。
【００１８】
従って、本装置は、電源オンのボタンを押すことによって容易に起動できる。
【００１９】
実際、装置の開口部に指を入れて、センタリングシステムを起動するだけよく、数秒後には、血糖症の値が自動的に得られ、装置の画面上に、各測定の日時及び累進的な登録番号と共に表示される。
【００２０】
更に、制御パラメータとして働く、血漿グルコース及びグリコヘモグロビンによる２本のダイオードレーザー光線の選択的吸収により、絶対的に正確な血糖症の値を得ることができる。
【００２１】
２個の値が相互に関連付けて計算され、従って、皮膚の厚さや色及び指自体の厚さに影響されることなしに、測定が絶対的に正確に行われる。
【図面の簡単な説明】
【００２２】
【図１】この発明の装置のシステム構成図である。
【手続補正２】
【補正対象書類名】特許請求の範囲
【補正対象項目名】全文
【補正方法】変更
【補正の内容】
【特許請求の範囲】
【請求項１】
皮膚を刺したり血液サンプルを採取することなく血糖症の値を測定するための装置であって、
それぞれのレーザー光線を放射する２個のレーザーダイオード源であって、５００ｎｍ〜１０００ｎｍの周波数範囲で、０．０１ｍＷ〜１００ｍＷのパワーで動作するレーザーダイオード源と、
この２個のレーザーダイオードによって放射されたレーザー光線を受光する光ダイオードセンサと、
患者の指を収容する４分割ダイアフラムと、
ディスプレーとを有し、
前記装置の使用及び作動は、
４分割ダイアフラムを開けるレバーを操作することによって、患者が指を装置内に入れるステップと、
レバーの解放により、スプリングによってダイアフラムを閉じ、これによって、２個のレーザーダイオードによって放射されると共に前記センサの光ダイオードに向けられた２本のレーザー光線の焦点上において、指の太さに影響されることなく、指を中心に位置決めするステップと、
患者が装置の電源を入れ、これにより、２個のレーザーダイオードの起動を制御する光学バリアを、指を通すことにより作動させるステップと、
２個のレーザーダイオードによって放射されたレーザー光線が、患者の血液中に存在するグリコヘモグロビン及び遊離血漿グルコースによって選択的に吸収されることによって生じるレーザー放射の２個の値をセンサの光ダイオードが読み取るステップと、
アナログステージが、前記値をプロセッサに送り、プロセッサは、それらが安定した後で、それらをデジタル化し、正規化し、それらの内に高い値を抽出し、平均を求め、特定のアルゴリズムにより、血糖症の瞬時値を得て、装置のディスプレーに表示するステップとを有し、
グリコヘモグロビン及び遊離血漿グルコースによる、前記２個のレーザーダイオードによって放射された光線の選択的吸収において、絶対的に正確な血糖症の値を得るためにグリコヘモグロビンが制御パラメータとして働き、
グリコヘモグロビン及び遊離血漿グルコースによる選択的吸収によって生じるレーザー放射の前記２個の値が相互に関連付けて計算され、これにより、皮膚の厚さや色及び患者の指の厚さに影響されることなしに血糖症の測定が絶対的に正確に行われる装置。
【請求項２】
請求項１に記載の装置であって、痛みが全くない非侵襲的な方法で血糖症の瞬時値を決定するのに数秒しか必要せず、これにより、経時的傾向を監視し、治療の有効性を確認し、新生児、子供、大人及び老人の血糖症曲線を作るために、極めて短い時間の間に幾つかの血糖測定値を得るのに使用でき、これにおいて、値は順次記憶され（最大で５０００個）、その記憶は２個のスライドキーによって表示でき、装置はＵＳＢゲートとＰＣ接続ケーブルを有し、データを可視化すると共に処理するためのソフトウエアが備えられている装置。
【請求項３】
本請求項１又は２に記載の装置であって、電源オンのボタンを押すことによって容易に起動でき、装置の開口部に患者の指を入れて、センタリングシステムを起動するだけよく、数秒後には、血糖値の値が自動的に得られ、装置の画面上に、各測定の日時及び累進的な登録番号と共に表示される装置。
【国際調査報告】
2011529370.tif 000004
2011529370.tif 000005
2011529370.tif 000006